(57)【要約】【課題】サービス技術者が外装カバーを開けて作業を行なう際、煩わしさが無く、利便性を向上させ、動作確認及びメンテナンスを容易にした画像形成装置を提供する。【解決手段】ピン２をピン挿入穴９に差し込むことでインターロックスイッチをＯＮ／ＯＦＦする。ピン挿入穴９の寸法は、ピン２を軽圧入で挿入するようなやや小さめが好ましい。引っかけ部１０をインナーカバー３に設けてもよい。また、インターロックスイッチをＯＮ／ＯＦＦするための爪７は折り畳み可能な構成でもよい。さらに、爪７を着脱可能な構成とし、爪７を外装カバー１より取り外した状態にしても、インターロック用開口部８に差し込んでインターロックスイッチをＯＮすることができる構成とする。【選択図】　　　　図４
2004004307.tif 000002
【特許請求の範囲】
【請求項１】
画像形成装置内の電源を制御するインターロックスイッチと、インターロックスイッチをＯＮ／ＯＦＦするための開口部と、開口部を備えるインナーカバーと、外装カバーとを備え、
外装カバーの開閉動作により、インターロックスイッチをＯＮ／ＯＦＦする機能を有する画像形成装置において、
前記外装カバーは取付部材によって本体に取り付けられており、
前記取付部材を本体より取り外し、前記インターロックスイッチをＯＮ／ＯＦＦする手段とする
ことを特徴とする画像形成装置。
【請求項２】
請求項１に記載の画像形成装置において、
前記インナーカバーは、前記取付部材を挿入する穴を有する
ことを特徴とする画像形成装置。
【請求項３】
請求項２に記載の画像形成装置において、
前記取付部材を挿入する穴の内径は、前記取付部材を挿入時、軽圧入で挿入される寸法である
ことを特徴とする画像形成装置。
【請求項４】
請求項１乃至３のいずれかに記載の画像形成装置において、前記インナーカバーは、前記取付部材を挿入時に固定する引っかけ部を有する
ことを特徴とする画像形成装置。
【請求項５】
画像形成装置内の電源を制御するインターロックスイッチと、インターロックスイッチをＯＮ／ＯＦＦするための開口部と、開口部を備えるインナーカバーと、外装カバーとを備え、
外装カバーの開閉動作により、インターロックスイッチをＯＮ／ＯＦＦする機能を有する画像形成装置において、
前記外装カバーは、開口部に対応する位置に設けられてインターロックスイッチをＯＮ／ＯＦＦする爪を有し、
前記爪は、折り畳み可能な構成である
ことを特徴とする画像形成装置。
【請求項６】
画像形成装置内の電源を制御するインターロックスイッチと、インターロックスイッチをＯＮ／ＯＦＦするための開口部と、開口部を備えるインナーカバーと、外装カバーとを備え、
外装カバーの開閉動作により、インターロックスイッチをＯＮ／ＯＦＦする機能を有する画像形成装置において、
前記外装カバーは、開口部に対応する位置に設けられてインターロックスイッチをＯＮ／ＯＦＦする爪を有し、
前記爪は、前記外装カバーより着脱可能な構成である
ことを特徴とする画像形成装置。
【請求項７】
請求項６に記載の画像形成装置において、
前記爪は、前記外装カバーより取り外した単独の状態でも、前記インターロックスイッチをＯＮ／ＯＦＦすることが可能な手段である
ことを特徴とする画像形成装置。
【発明の詳細な説明】
【０００１】
【発明の属する技術分野】
本発明は、複写機、プリンタ、ファクシミリ等の画像形成装置に関するものであり、詳しくは、外装カバーを開けた際にマシン動作を停止させるインターロックスイッチを有する画像形成装置に関するものである。
【０００２】
【従来の技術】
画像形成装置のメンテナンス時、サービス技術者は、内部にある感光体・現像ユニット等の作像ユニットの動き等をチェックする際に、外装カバーを開けて作業を行なう。しかしながら、通常機器の安全性の側面から、外装カバーを開けるとインターロックスイッチの作用により、マシンの電源が遮断され、動作不能となる。
従来までは、サービス技術者は、自信で所有している工具等をインターロックスイッチの開口部に挿入し、手で押さえながらチェックを行なっていた。
また、画像形成装置の構成によっては、サービス技術者がメンテナンス時に作像ユニットを引き出す際、外装カバーに一体成形されている爪部に干渉してしまい、外装カバーをはずさないと作像ユニットを引き出せないという不具合があった。
【０００３】
【発明が解決しようとする課題】
上記問題点に鑑み、本発明は、これらのサービス技術者の煩わしさを低減することを目的とし、サービス技術者が外装カバーを開けて作業を行なう場合、インターロックスイッチをＯＮ／ＯＦＦさせる他の部材を用意したり、インターロック解除部材を手で押さえたりする必要が無く、また外装カバーを外す煩わしさも無く、利便性を向上させ、動作確認及びメンテナンスを容易にした画像形成装置を提供することを目的とする。
【０００４】
【課題を解決するための手段】
上記課題を解決するために、請求項１に記載の本発明は、画像形成装置内の電源を制御するインターロックスイッチと、インターロックスイッチをＯＮ／ＯＦＦするための開口部と、開口部を備えるインナーカバーと、外装カバーとを備え、外装カバーの開閉動作により、インターロックスイッチをＯＮ／ＯＦＦする機能を有する画像形成装置において、前記外装カバーは取付部材によって本体に取り付けられており、前記取付部材を本体より取り外し、前記インターロックスイッチをＯＮ／ＯＦＦする手段とすることを特徴とする画像形成装置とする。
請求項２に記載の本発明は、請求項１に記載の画像形成装置において、前記インナーカバーは、前記取付部材を挿入する穴を有することを特徴とする画像形成装置とする。
請求項３に記載の本発明は、請求項２に記載の画像形成装置において、前記取付部材を挿入する穴の内径は、前記取付部材を挿入時、軽圧入で挿入される寸法であることを特徴とする画像形成装置とする。
請求項４に記載の本発明は、請求項１乃至３のいずれかに記載の画像形成装置において、前記インナーカバーは、前記取付部材を挿入時に固定する引っかけ部を有することを特徴とする画像形成装置とする。
【０００５】
請求項５に記載の本発明は、画像形成装置内の電源を制御するインターロックスイッチと、インターロックスイッチをＯＮ／ＯＦＦするための開口部と、開口部を備えるインナーカバーと、外装カバーとを備え、外装カバーの開閉動作により、インターロックスイッチをＯＮ／ＯＦＦする機能を有する画像形成装置において、前記外装カバーは、開口部に対応する位置に設けられてインターロックスイッチをＯＮ／ＯＦＦする爪を有し、前記爪は、折り畳み可能な構成であることを特徴とする画像形成装置とする。
請求項６に記載の本発明は、画像形成装置内の電源を制御するインターロックスイッチと、インターロックスイッチをＯＮ／ＯＦＦするための開口部と、開口部を備えるインナーカバーと、外装カバーとを備え、外装カバーの開閉動作により、インターロックスイッチをＯＮ／ＯＦＦする機能を有する画像形成装置において、前記外装カバーは、開口部に対応する位置に設けられてインターロックスイッチをＯＮ／ＯＦＦする爪を有し、前記爪は、前記外装カバーより着脱可能な構成であることを特徴とする画像形成装置とする。
請求項７に記載の本発明は、請求項６に記載の画像形成装置において、前記爪は、前記外装カバーより取り外した単独の状態でも、前記インターロックスイッチをＯＮ／ＯＦＦすることが可能な手段であることを特徴とする画像形成装置とする。
【０００６】
【発明の実施の形態】
以下より、本発明の実施の形態について図に基づき説明する。
（第一実施形態）
図１は本発明の画像形成装置の第一実施形態を示す複写機の外観である。
図１では外装カバー１を開けた状態を示すが、通常動作時は閉めている。外装カバー１を閉めた状態では、インターロック用爪７がインナーカバー３のインターロック用開口部８に挿入され、内部にあるスイッチをＯＮし動作可能となっている。
図２は、外装カバー１の本体５との結合部である。取付部材としてのピン２を外装カバー１のピン挿入穴１ａ、本体側のピン挿入穴４、外装カバー１のピン挿入穴１ｂの順番で通すことにより、外装カバー１と本体とが結合されている。
【０００７】
サービス技術者がメンテナンス時、外装カバー１を開けた状態で内部の作像ユニット６等のチェックを行なう場合は、図３に示すように、サービス技術者はピン２をピン挿入穴１ａ、４、１ｂより取り外し、インターロック用開口部８を有するインナーカバー３側のピン挿入穴９に差し込む。ピン挿入穴９はインターロック用開口部８近傍に設けられており、ピン２を挿入することで、インターロック用開口部８奥にある不図示のインターロックスイッチをＯＮさせる。
なお、ピン２を挿入するピン挿入穴９の内径は、ピン２をセット時、軽圧入でセットされる寸法となっている。例えば、ピン２の外経がΦ６．００〜６．０３ｍｍであるとすると、ピン挿入穴９の内径はΦ５．９０〜５．９３ｍｍであり、ピン２をピン挿入穴９にセットする時にある程度の力を加えなければ挿入できない様な構成となっている。これにより、サービス技術者がピン２を手で押さえなくても、ピン２はピン挿入穴９から外れない。
【０００８】
また、ピン挿入穴９近傍に引っかけ形状のピン引っかけ部１０を設け、ピン２をピン挿入穴９に挿入後、時計方向に回し、ピン引っかけ部１０に引掛ける構成が好ましい。インナカバー３にピン引っかけ部１０を設けることにより、ピン２が挿入後にインナーカバー３側に保持される為、サービス技術者が手で押さえる必要がなく、更なるメンテナンス性向上が実現できる。
上記構成により、部品を増やすことなく、外装カバー１を開けた状態であってもインターロックスイッチのＯＮを可能とする。従って、サービス技術者が外装カバー１を開けて作業を行なう場合、インターロックをＯＮ／ＯＦＦさせる他の部材を用意したり、その部材を手で押さえて作業したりする必要がなく、動作確認及びメンテナンスが容易になる。
【０００９】
（第二実施形態）
図４は本発明の画像形成装置の第二実施形態を示す複写機の外観である。
図４では外装カバー１を開けた状態を示すが、通常動作時は閉めている。外装カバー１を閉めた状態では、インターロック用爪７がインナーカバー３のインターロック用開口部８に挿入され、内部にあるスイッチをＯＮし動作可能となっている。
ここで、第一実施形態と異なる点は、インターロックスイッチの位置である。図４では、サービス技術者がメンテナンス時に作像ユニット６を引き出す際、外装カバー１に一体成形されているインターロック用爪７が干渉する位置にある。
【００１０】
図５はインターロック用爪７の形状を示す図である。
図５（ａ）では、外装カバー１に一体成形された爪保持部１１により保持された樹脂製のインターロック用爪７は、折り畳んだ状態で爪保持部１１に強固に固定される。また、図５（ｂ）では、外装カバー２に一体成形された爪保持部１１により保持された金属製のインターロック用爪７は、金属の弾性により折り畳んだ状態で爪保持部１１に強固に固定される。
サービス技術者は、作像ユニット６を引き出してメンテナンスをする際、外装カバー１を開け、図５におけるインターロック用爪７を矢印方向に倒すことによって、作像ユニット６の引き出し時の干渉を防止することができる。
【００１１】
図６は、インターロック用爪７の形状を示す図である。図５と異なる点は、外装カバー１に対して着脱可能であることである。外装カバー１に一体成形された爪保持部１１により保持された樹脂製のインターロック用爪７は、爪保持部１１に強固に固定される。
サービス技術者は、作像ユニット６を引き出してメンテナンスをする際、外装カバー１を開け、図６におけるインターロック用爪７を爪保持部１１より取り外すことによって、作像ユニット６の引き出し時の干渉を防止することができる。また、外装カバー１を開けた状態でマシン動作をチェックしたい時は、図７に示すように、インターロック用開口部８にインターロック用爪７を差し込む事によって、動作可能な状態とすることができる。インターロック用爪７には切り欠き部７ａを設け、インターロック用開口部８に固定することができる。これにより、サービス技術者は手で押さえることなく、各ユニットのチェックを行うことができる。
【００１２】
なお本発明は、一例として作像ユニット６のメンテナンスについて記載したが、書込ユニット、転写ユニット、トナー補給ユニット等、サービス技術者がメンテナンス時に取り外す可能性のある全ての画像形成装置のパーツに適用できる。
【００１３】
【発明の効果】
以上説明したように、請求項１に記載の本発明によれば、外装カバーを本体に取り付けるピンで、インターロックスイッチをＯＮ／ＯＦＦすることにより、サービス技術者が外装カバーを開けて動作確認やメンテナンスを行なう場合、インターロックスイッチをＯＮ／ＯＦＦさせる他の部材を用意する必要がなく、利便性が向上した画像形成装置を提供することができる。
また、請求項２に記載の本発明によれば、ピンを挿入穴に挿入するだけで容易にインターロックスイッチをＯＮ／ＯＦＦさせることができ、サービス技術者のメンテナンス性が向上した画像形成装置を提供することができる。
さらに、請求項３に記載の本発明によれば、挿入穴の寸法を、ピンを軽圧入で挿入するような寸法とすることにより、サービス技術者がメンテナンス時にインターロック解除部材を手で押さえている必要がなく、更にメンテナンス性が向上した画像形成装置を提供することができる。
さらに、請求項４に記載の本発明によれば、ピンを固定するための引っかけ部をインナーカバーに設けることにより、サービス技術者がメンテナンス時にインターロック解除部材を手で押さえている必要がなく、更にメンテナンス性が向上した画像形成装置を提供することができる。
【００１４】
さらに、請求項５に記載の本発明によれば、インターロックスイッチをＯＮ／ＯＦＦするための爪が折り畳み可能な構成であることにより、サービス技術者がメンテナンス時に外装カバーを外す煩わしさを回避可能な画像形成装置を提供することができる。
さらに、請求項６に記載の本発明によれば、インターロックスイッチをＯＮ／ＯＦＦするための爪が着脱可能な構成であることにより、サービス技術者がメンテナンス時に外装カバーを外す煩わしさを回避可能な画像形成装置を提供することができる。
さらに、請求項７に記載の本発明によれば、爪を外装カバーより取り外した状態にしても、インターロックスイッチの爪として使用可能とすることにより、サービス技術者がメンテナンス時にインターロックスイッチ解除部材を手で押さえながらチェックするといった煩わしい行為を回避可能な画像形成装置を提供することができる。
【図面の簡単な説明】
【図１】本発明の第一実施形態を説明する一例であり、複写機の外観を示す斜視図である。
【図２】外装カバーと画像形成装置本体との結合部を示す拡大図である。
【図３】インターロック用開口部近傍を示す図である。
【図４】本発明の第二実施形態を説明する一例であり、複写機の外観を示す斜視図である。
【図５】インターロック用爪の形状を示す図である。
【図６】インターロック用爪の形状を示す図である。
【図７】インターロック用開口部にインターロック用爪を差し込んだ状態を示す図である。
【符号の説明】
１　外装カバー
１ａ　ピン挿入穴（外装カバー側；図中右）
１ｂ　ピン挿入穴（外装カバー側；図中左）
２　ピン
３　インナーカバー
４　ピン挿入穴（本体側）
５　本体
６　作像ユニット
７　インターロック用爪
７ａ　切り欠き部
８　インターロック用開口部
９　ピン挿入穴（インナーカバー側）
１０　ピン引っかけ部
１１　爪保持部
【図１】
2004004307.tif 000003
【図２】
2004004307.tif 000004
【図３】
2004004307.tif 000005
【図４】
2004004307.tif 000006
【図５】
2004004307.tif 000007
【図６】
2004004307.tif 000008
【図７】
2004004307.tif 000009